Podtech/llm-jp-corpus-v4-ja_patent huggingface dataset:
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
口腔清掃装置のユーザにリアルタイムフィードバックを供給するための方法であって、前記方法は、
前記口腔清掃装置の圧力センサから、清掃セッションの間の圧力センサデータを受信するステップと、
前記受信した圧力センサデータを用いて前記口腔清掃装置のコントローラによって、前記口腔清掃装置の前記ユーザによって付与された圧力量を所定の圧力閾値及び所定の時間閾値のうちの少なくとも１つと比較することにより、前記口腔清掃装置の前記ユーザによって付与されている継続した過剰な圧力があるかどうかを決定するステップと、
継続した過剰な圧力が付与されていると決定されたときに、前記口腔清掃装置の視覚的インジケータにより、視覚的表示をリアルタイムに供給するステップと、
を有する、方法。
【請求項２】
前記視覚的表示が、前記口腔清掃装置の前記ユーザによって付与された前記圧力量が前記所定の圧力閾値及び前記所定の時間閾値のうちの前記少なくとも１つを超えた場合にのみ供給される、請求項１記載の方法。
【請求項３】
前記口腔清掃装置の前記ユーザによって付与された前記圧力量が所定の閾値を下回った場合に、前記視覚的インジケータにより別の視覚的表示を供給するステップを更に有する、請求項１記載の方法。
【請求項４】
前記視覚的表示が、前記口腔清掃装置の本体部分の遠位端に配置された１又は複数のＬＥＤを有する光リングである、請求項１記載の方法。
【請求項５】
前記視覚的表示が、２以上の異なる色の複数のＬＥＤを有する、請求項１記載の方法。
【請求項６】
前記口腔清掃装置の前記ユーザによって付与された前記圧力量に基づいて、前記口腔清掃装置のモードを調整するステップを更に有する、請求項１記載の方法。
【請求項７】
前記視覚的インジケータが、前記口腔清掃装置のバッテリの充電状態の視覚的表示を供給するように更に構成される、請求項１記載の方法。
【請求項８】
ユーザにリアルタイムフィードバックを供給するように構成された口腔清掃装置であって、前記口腔清掃装置は、
清掃セッションの間の圧力センサデータを取得するように構成された圧力センサと、
前記清掃セッションの間に前記ユーザに圧力についてのフィードバックを供給するように構成された視覚的インジケータと、
前記圧力センサ及び前記視覚的インジケータと通信するコントローラと、
を有し、
前記コントローラは、前記圧力センサから前記圧力センサデータを受信し、前記口腔清掃装置の前記ユーザによって付与された圧力量を所定の圧力閾値及び所定の時間閾値のうちの少なくとも１つと比較することにより、前記口腔清掃装置の前記ユーザによって付与されている継続した過剰な圧力があるかどうかを決定し、継続した過剰な圧力が付与されていると決定されたときに、前記視覚的インジケータを用いて視覚的表示を供給する、ように構成される、口腔清掃装置。
【請求項９】
前記視覚的インジケータが、前記口腔清掃装置のブラシヘッドから離れた前記口腔清掃装置のハンドルにおいて配置される、請求項８記載の口腔清掃装置。
【請求項１０】
前記視覚的インジケータが、２以上の異なる色の複数のＬＥＤを有する、請求項８記載の口腔清掃装置。
【請求項１１】
前記視覚的インジケータが、前記口腔清掃装置の本体部分の遠位端に配置された１又は複数のＬＥＤを有する光リングを有する、請求項８記載の口腔清掃装置。
【請求項１２】
前記視覚的表示が、前記口腔清掃装置の前記ユーザによって付与された前記圧力量が前記所定の圧力閾値及び前記所定の時間閾値のうちの前記少なくとも１つを超えた場合にのみ供給される、請求項８記載の口腔清掃装置。
【請求項１３】
前記コントローラは更に、前記口腔清掃装置の前記ユーザによって付与された前記圧力量が所定の閾値を下回った場合に別の視覚的表示を供給するように構成される、請求項８記載の口腔清掃装置。
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
複数の印と複数の照明要素とを有する把持部と、
ユーザインタフェースアセンブリと、
を有する、口腔清掃装置であって、
前記ユーザインタフェースアセンブリは、インタフェースパネルとバッフルアセンブリとを有し、前記バッフルアセンブリは、複数のバッフル部を有し、前記複数のバッフル部の各々は、前記複数の照明要素の各々及び前記複数の印の各々と対応し、前記複数のバッフル部の各々は、前記バッフル部を覆うとともに前記複数の照明要素の各々と前記複数の印の各々との間に配置されるカバー部を有し、
前記ユーザインタフェースアセンブリは、前記口腔清掃装置が電源オフされた場合、前記インタフェースパネルが消灯し、前記口腔清掃装置が電源オンされた場合、選択された口腔清掃装置モードに対応する前記インタフェースパネル上の前記複数の印の少なくとも１つが照明されるように構成される、口腔清掃装置。
【請求項２】
前記カバー部が、薄膜である、請求項１記載の口腔清掃装置。
【請求項３】
前記カバー部が、熱可塑性エラストマー（ＴＰＥ）である、請求項１記載の口腔清掃装置。
【請求項４】
前記ユーザインタフェースアセンブリに隣接する前記把持部が、透光性を有する、請求項１記載の口腔清掃装置。
【請求項５】
前記インタフェースパネルが、
前記把持部の外側表面上に形成されるマスク層であって、前記複数の印を定める１又は複数のエッチング領域を有する前記マスク層と、
前記マスク層及び前記エッチング領域上に形成される光透過層と、
を有する、請求項１記載の口腔清掃装置。
【請求項６】
前記インタフェースパネルが、前記光透過層上に形成される保護層を更に有する、請求項５記載の口腔清掃装置。
【請求項７】
前記複数の照明要素の各々が、複数の強度を有する、請求項１記載の口腔清掃装置。
【請求項８】
前記複数の照明要素が、ＬＥＤである、請求項１記載の口腔清掃装置。
【請求項９】
複数の印と複数の照明要素とを有する把持部と、
前記把持部の一旦に配置されるブラシヘッド部材と、
モード選択部材と、
ユーザインタフェースアセンブリと、
を有する、口腔清掃装置であって、
前記ユーザインタフェースアセンブリは、インタフェースパネルとバッフルアセンブリとを有し、前記バッフルアセンブリは、複数のバッフル部を有し、前記複数のバッフル部の各々は、前記複数の照明要素の各々及び前記複数の印の各々と対応し、前記複数のバッフル部の各々は、前記バッフル部を覆うとともに前記複数の照明要素の各々と前記複数の印の各々との間に配置されるカバー部を有し、
前記インタフェースパネルは、（ｉ）前記複数の印を定める１又は複数のエッチング領域を有し、前記把持部の外側表面上に形成されるマスク層と、（ｉｉ）前記マスク層及び前記エッチング領域上に形成される光透過層と、を有し、
前記ユーザインタフェースアセンブリに隣接する前記把持部は、透光性を有し、前記ユーザインタフェースアセンブリは、前記口腔清掃装置が電源オフされた場合、前記インタフェースパネルが消灯し、前記口腔清掃装置が電源オンされた場合、選択された口腔清掃装置モードに対応する前記インタフェースパネル上の前記複数の印の少なくとも１つが照明されるように構成される、口腔清掃装置。
【請求項１０】
前記インタフェースパネルが、前記光透過層上に形成される保護層を更に有する、請求項９記載の口腔清掃装置。
【請求項１１】
口腔清掃装置のインタフェースパネルを製造するための方法であって、前記方法は、
前記口腔清掃装置の把持部の内側にバッフルアセンブリを挿入するステップであって、前記把持部は、複数の印と複数の照明要素とを有し、前記バッフルアセンブリは、複数のバッフル部を有し、前記複数のバッフル部の各々は、前記バッフル部を覆うとともに前記複数の照明要素の各々と前記複数の印の各々との間に配置されるカバー部を有する、前記ステップと、
前記把持部の外側表面上にマスク層を付与するステップと、
前記複数の印を規定する１又は複数のエッチング領域を作成するために、前記マスク層の少なくとも一部をエッチングするステップと、
前記マスク層及び前記エッチング領域の上に光透過層を付与するステップと、
を有する、方法。
【請求項１２】
前記光透過層上に保護層を付与するステップを更に有する、請求項１１記載の方法。
【請求項１３】
前記カバー部が、薄膜である、請求項１１記載の方法。
【請求項１４】
前記カバー部が、熱可塑性エラストマー（ＴＰＥ）である、請求項１１記載の方法。
【請求項１５】
前記把持部が、透光性を有する、請求項１１記載の方法。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
柔軟性手術デバイスと、
前記柔軟性手術デバイスの導入を容易にする手持ち式イントロデューサと、
前記柔軟性手術デバイスの１つ又は複数の画像を取り込む画像取得デバイスであって、前記画像は前記柔軟性手術デバイスの形状、姿勢及び位置のうちの少なくとも１つを示す、画像取得デバイスと、
前記手持ち式イントロデューサ上の少なくとも１つのポイントの位置を追跡する追跡システムと、
前記柔軟性手術デバイスの前記画像及び前記手持ち式イントロデューサの前記少なくとも１つのポイントの前記位置に関する情報に基づいて、前記柔軟性手術デバイスを制御する誘導コマンドを生成するプロセッサと、
を備える、手術ロボットシステム。
【請求項２】
前記柔軟性手術デバイスは、（ｉ）２リンケージ１ジョイントデバイス、（ｉｉ）蛇状ロボット、（ｉｉｉ）操縦可能カテーテルのうちの少なくとも１つを備える、請求項１に記載の手術ロボットシステム。
【請求項３】
前記柔軟性手術デバイスは、遠位端部に結合されたエンドエフェクタを備える、請求項１に記載の手術ロボットシステム。
【請求項４】
前記プロセッサは更に、ターゲット地点又はその近傍へと前記エンドエフェクタを移動させ、位置決めする誘導コマンドを生成する、請求項３に記載の手術ロボットシステム。
【請求項５】
位置補償モードにおいて、前記プロセッサは、前記手持ち式イントロデューサの１つ又は複数の動きによって引き起こされる手術パスからの前記エンドエフェクタの逸脱を補正する誘導コマンドを生成する、請求項４に記載の手術ロボットシステム。
【請求項６】
前記画像取得デバイスは、Ｘ線デバイス、コンピュータ断層撮影（ＣＴ）デバイス、超音波センサ（ＵＳ）、及び内視鏡のうちの少なくとも１つを備える、請求項１に記載の手術ロボットシステム。
【請求項７】
前記追跡システムは、光学的追跡システム、機械的追跡システム、及び電磁的追跡システムのうちの少なくとも１つを備える、請求項１に記載の手術ロボットシステム。
【請求項８】
前記プロセッサは更に、前記手持ち式イントロデューサの変化した位置又は向きに基づいてコマンドを生成する、請求項１に記載の手術ロボットシステム。
【請求項９】
前記画像を表示するディスプレイを更に備える、請求項１に記載の手術ロボットシステム。
【請求項１０】
柔軟性手術デバイスと、前記柔軟性手術デバイスの導入を容易にする手持ち式イントロデューサとを備える手術ロボットシステムのための制御ユニットであって、前記制御ユニットは、プロセッサを備え、
前記プロセッサは、
前記柔軟性手術デバイスの形状、姿勢及び位置のうちの少なくとも１つを示す前記柔軟性手術デバイスの１つ又は複数の画像を、画像取得デバイスから受信し、
追跡システムから、前記手持ち式イントロデューサ上の少なくとも１つのポイントの位置を示す追跡情報を受信し、
前記柔軟性手術デバイスの前記画像及び前記手持ち式イントロデューサの前記少なくとも１つのポイントの前記位置に関する情報に基づいて、前記柔軟性手術デバイスを制御する誘導コマンドを生成する、制御ユニット。
【請求項１１】
前記柔軟性手術デバイスは、エンドエフェクタを備え、前記プロセッサは更に、ターゲット地点又はその近傍へと前記エンドエフェクタを移動させ位置決めする誘導コマンドを生成し、
位置補償モードにおいて、前記プロセッサは、前記手持ち式イントロデューサの１つ又は複数の動きによって引き起こされる手術パスからの前記エンドエフェクタの逸脱を補正する誘導コマンドを生成する、請求項１０に記載の制御ユニット。
【請求項１２】
前記プロセッサは更に、
ユーザによる手術部位における解剖学的ターゲットの選択のためにユーザインターフェースから選択入力を受信し、
位置誘導モードにおいて、前記選択入力に基づいて、前記柔軟性手術デバイスが前記手術部位における選択された前記解剖学的ターゲットに到達するように前記手術ロボットシステムの前記手持ち式イントロデューサを位置決めするための誘導コマンドを生成する、請求項１０に記載の制御ユニット。
【請求項１３】
前記プロセッサは更に、前記ユーザインターフェースから作動信号を受信し、前記作動信号に基づいて、前記位置誘導モードの完了後に位置補償モードを作動させる、請求項１２に記載の制御ユニット。
【請求項１４】
前記プロセッサは更に、Ｘ線デバイス、コンピュータ断層撮影（ＣＴ）デバイス、超音波センサ（ＵＳ）、及び内視鏡のうちの少なくとも１つを備える医療画像デバイスからの手術部位における前記柔軟性手術デバイスの医療画像を処理する、請求項１０に記載の制御ユニット。
【請求項１５】
プロセッサによって実行されて柔軟性手術デバイスと手術部位における前記柔軟性手術デバイスの導入を容易にする手持ち式イントロデューサとを制御する機械可読命令を記憶した非一時的コンピュータ可読記憶媒体であって、前記機械可読命令は前記手持ち式イントロデューサの運動を補償する方法を実施し、前記方法は、
前記柔軟性手術デバイスの形状、姿勢及び位置のうちの少なくとも１つを示す前記柔軟性手術デバイスの１つ又は複数の画像を、画像取得デバイスから受信することと、
追跡システムから、前記手持ち式イントロデューサ上の少なくとも１つのポイントの位置を示す追跡情報を受信することと、
前記柔軟性手術デバイスの前記画像及び前記手持ち式イントロデューサの前記少なくとも１つのポイントの前記位置に関する情報に基づいて、前記柔軟性手術デバイスを制御する誘導コマンドを生成することと、
を有する、非一時的コンピュータ可読記憶媒体。
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
２つの縁部（１３）によって分離された少なくとも３つの剛性又は半剛性の側面（５，９）を備えると共に車輪（３０）に取り付けられた剛性又は半剛性のスーツケース本体（１）と、
２つのアーム（１７）、ハンドル（１７）及び２つの管（２１）を備える伸縮自在のツインロッド（１６）であって、前記アーム（１７）が前記ハンドル（１８）に連結されていると共に前記２つの管（２１）内に摺動可能に取り付けられた伸縮自在のツインロッド（１６）と、
を備え、
前記２つの管（２１）が、前記スーツケース本体（１）の外側の前記２つの縁部（１３）に沿って配置されていることを特徴とする車輪付きスーツケース。
【請求項２】
前記２つの縁部（１３）のそれぞれは、前記スーツケース本体（１）の外側に面した凹面を呈して凹状となっており、
前記管（２１）が凹状の前記縁部（１３）に収容されている、請求項１に記載の車輪付きスーツケース。
【請求項３】
前記管（２１）のそれぞれは、外側部分（２２）と内側部分（２３）とによって画定された断面を有する輪郭を有しており、
前記外側部分（２２）は、２つの端部（２４，２５）を示すアーチを画定し、
前記２つの縁部（２４，２５）は、前記管（２１）が受容される前記縁部（１３）に２つの連続した側面（９，５）を接線方向に接合し、
前記内側部分（２３）が、  前記管（２１）が収容されている凹状の前記縁部（１３）の凹部に実質的に追従するように配置されていることを特徴とする、請求項２に記載の車輪付きスーツケース。
【請求項４】
前記管（２１）は、リベット又はネジ（２６）によって前記２つの縁部（１３）に取り付けられている、請求項１〜３のいずれか一項に記載の車輪付きスーツケース。
【請求項５】
前記管（２１）は、前記アーム（１７）が導入される開放端部（２８）を有し、剛性中間部（２７）が前記管（２１）の間に配置されて、一方の前記管（２１）の開放端（２８）から他方の前記管（２１）の開放端（２８）まで延在している、請求項１〜４のいずれか一項に記載の車輪付きスーツケース。
【請求項６】
前記側面（５，９）の一方が前記スーツケース本体（１）の背面（９）であり、
前記スーツケース本体（１）は、前記スーツケース本体の上縁部（１４）によって前記背面（９）から分離された上面（１０）を有し、前記上縁部（１４）は、前記スーツケース本体（１）の外側に面する凹部を呈して窪んでおり、
前記剛性中間部（２７）は前記上縁部（１４）の前記凹部と相補的な形状を有しており、前記剛性中間部（２７）が前記上縁部（１４）に固定されていることを特徴とする、請求項５に記載の車輪付きスーツケース。
【請求項７】
前記ハンドル（１８）は、その長さの少なくとも一部分にわたって、格納位置と伸張位置との間で移動可能であり、外側ハンドル部分（３１）と内側ハンドル部分（３２）とによって画定される横断面を備え、
前記外側ハンドル部分（３１）は、２つの端部（３３，３４）を呈するアーチを画定し、
前記２つの端部（３３，３４）が前記スーツケース本体（１）の側面（９）と前記スーツケース本体（１）の前記上面（１０）とのそれぞれによって画定される平面の延長部に見られる、請求項６に記載の車輪付きスーツケース。
【請求項８】
前記ハンドル（１８）の前記格納位置で前記ハンドル（１８）と前記剛性中間部（２７）との間に自由空間（２９）を有する、請求項７に記載の車輪付きスーツケース。
【請求項９】
２つの旋回軸（Ｘ１）のそれぞれを中心として回転可能な少なくとも２つの車輪付き装置（３０）を更に備え、前記車輪付き装置（３０）は、前記スーツケース本体（１）の底面（１１）に取り付けられている、請求項１〜８のいずれか一項に記載の車輪付きスーツケース。
【請求項１０】
前記管（２１）は、車輪付き装置（３０）の近傍に位置する管（２１）の端部（３９）を有し、
前記管（２１）の前記端部は、前記管（２１）の内部空間を画定する縁部を呈しており、
前記車輪付き装置（３０）の前記旋回軸（Ｘ１）は、前記管（２１）の前記内部空間に内に延在する、請求項９に記載の車輪付きスーツケース。
【請求項１１】
前記車輪付き装置（３０）のそれぞれは、関連付けられた管（２１）の近傍に取り付けられており、
前記２つの旋回軸（Ｘ１）のそれぞれは、前記車輪付き装置（３０）が関連付けられた前記管（２１）の主軸（Ｘ）と平行であり、
前記車輪付き装置（３０）の前記旋回軸（Ｘ１）は、関連付けられた前記管（２１）の主軸（Ｘ）から２０ミリメートル未満だけ離間している、請求項９又は１０に記載の車輪付きスーツケース。
【請求項１２】
前記車輪付き装置３０のそれぞれは、前記管（２１）に取り付けられた要素に固定されている、請求項９〜１１のいずれか一項に記載の車輪付きスーツケース。
【請求項１３】
衝撃吸収装置（３７）を更に備える、請求項１〜１２のいずれか一項に記載の車輪付きスーツケース。
【請求項１４】
前記衝撃吸収装置は、前記管の近傍に前記スーツケース本体の側面に取り付けられた部品であることを特徴とする、請求項１３に記載の車輪付きスーツケース。
【請求項１５】
前記管（２１）が前記衝撃吸収装置を含む、請求項１３に記載の車輪付きスーツケース。
伸縮式ロッドを備えた車輪付きスーツケース。
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
被験者の視覚を検査するための装置であって、
入射光を偏光するように構成されており、前記入射光に適用される偏光角を前記入射光の経路と実質的に同一線上にある軸線を中心に回転させるように構成されている偏光装置と、
光を前記偏光装置に導くように構成された光学要素と
を備え、
前記偏光装置が、前記被験者による観察下にある間、０％偏光から１００％偏光までの範囲にある複数の選択可能な偏光度から選択された偏光度と、ある偏光回転角とを有する光を生成するように構成されている、装置。
【請求項２】
前記偏光装置が、前記偏光角の回転方向を選択するための回転方向選択機構を備える、請求項１に記載の装置。
【請求項３】
前記回転方向選択機構が、前記回転方向を選択するための使用者入力部を備える、請求項２に記載の装置。
【請求項４】
前記回転方向選択機構が、
所定の一連の回転方向と、
ランダムに選ばれた回転方向と
のうちの少なくとも一方と一致する回転方向を選択するように構成されている、請求項２に記載の装置。
【請求項５】
前記偏光装置が、ある偏光回転角を有する光を受光するように構成されているとともに、前記選択された偏光度を生成するようにさらに構成されている少なくとも１つの偏光解消フィルタを備える偏光解消装置を具備する、請求項１〜４のいずれか一項に記載の装置。
【請求項６】
前記少なくとも１つの偏光解消フィルタが、半透明プラスチックキャリア中に分布された粒子からなるものである、請求項５に記載の装置。
【請求項７】
前記半透明プラスチックキャリアが硬化樹脂、随意的には硬化ポリエステル樹脂から形成されている、請求項６に記載の装置。
【請求項８】
前記粒子が、１００ｎｍ〜１００００ｎｍの間の平均粒子サイズを有し、及び／又は、誘電対材料の粒子を含む、請求項６又は７に記載の装置。
【請求項９】
前記偏光解消フィルタが、偏光の楕円率を変えなくても前記偏光度を変更するように構成されている、請求項５〜８のいずれか一項に記載の装置。
【請求項１０】
前記偏光装置が、
回転可能偏光子と、
偏光解消装置と
を具備し、
前記偏光解消装置が、複数の偏光解消フィルタを備えるとともに、前記複数の偏光解消フィルタのうちの選択偏光解消フィルタが選択されること、及び前記選択された偏光度を生成するための光路に配置されることを可能にするように構成されている、請求項１〜９のいずれか一項に記載の装置。
【請求項１１】
前記複数の偏光解消フィルタが実質的に円形のパターンに配置されており、前記偏光解消装置が、前記複数の偏光解消フィルタのうちの前記選択偏光解消フィルタを前記光路に入れるために回転するように構成されている、請求項１０に記載の装置。
【請求項１２】
前記偏光装置が複数の偏光フィルタを備え、前記複数の偏光フィルタにより前記複数の選択可能な偏光度が得られ、前記複数の偏光フィルタのうちの選択偏光フィルタが、最初に、選択され光路内に配置されるように、次いで、前記被験者による観察下の間回転するように、構成されている、請求項１〜４のいずれか一項に記載の装置。
【請求項１３】
光混合要素と、
光を前記光混合要素に導くように構成された別の光学要素と
をさらに備え、
前記光学要素及び前記別の光学要素がそれぞれ、前記光混合要素に前記選択された偏光度を有する光を生成させるための光強度選択機構をさらに備える、請求項１〜４のいずれか一項に記載の装置。
【請求項１４】
前記光学要素が、前記偏光装置に導くための光を発生するように構成された光源である、請求項１〜１３のいずれか一項に記載の装置。
【請求項１５】
前記光学要素が、青色光を含む光及び／又は４００〜５５０ｎｍの範囲の一つ以上の波長を含む光を発生するように構成されている、請求項１〜１４のいずれか一項に記載の装置。
【請求項１６】
前記光源が、フルスペクトル光、青色光を含む光、又は４００〜５５０ｎｍの範囲の一つ以上の波長を含む光を発生するように構成されている、請求項１４に記載の装置。
【請求項１７】
前記光学要素が、外部光源からの光を前記偏光装置へ反射するように構成されているリフレクタを備える、請求項１〜１３のいずれか一項に記載の装置。
【請求項１８】
前記被験者による観察のために前記偏光装置からの偏光を受光するように構成された観察要素をさらに備える、請求項１〜１７のいずれか一項に記載の装置。
【請求項１９】
前記観察要素が半透明パネル又はレンズを備える、請求項１８に記載の装置。
【請求項２０】
前記偏光装置が、選択連続回転方向に前記偏光角を回転させるように構成されている、請求項１〜１９のいずれか一項に記載の装置。
【請求項２１】
前記偏光装置が、前記偏光角を２つの所定の角度方向の間で往復的に回転させるように構成されている、請求項１〜１９のいずれか一項に記載の装置。
【請求項２２】
前記偏光装置が、前記回転を行わせるためのモータ又は前記回転を行わせるための手動駆動機構のいずれかを備える、請求項１〜２１のいずれか一項に記載の装置。
【請求項２３】
被験者の視覚を検査する方法であって、
光を偏光装置に導くステップと、
前記偏光装置によって得られる複数の選択可能な偏光度からある偏光度を選択するステップと、
前記偏光装置を使用して、入射光に適用される偏光角を前記入射光の光路と実質的に同一線上にある軸線を中心に回転させるステップと、
前記被験者による観察のために、前記選択された偏光度と、ある偏光回転角とを有する光を生成するステップと、
前記被験者が、前記選択された偏光度を用いたときに、ハイディンガーのブラシと一致する回転パターンを観察できるかどうかを尋ねるステップと
を含む、被験者の視覚を検査する方法。
【請求項２４】
前記偏光装置が前記偏光角を選択回転方向に回転させるステップと、
前記被験者に、観察された前記回転パターンの回転方向を報告するように要求するステップと、
前記観察された回転方向が前記選択された方向と一致するかどうかを判定するステップと
をさらに含む、請求項２３に記載の被験者の視覚を検査する方法。
【請求項２５】
前記被験者の視覚を
ａ）最初に最大偏光度を前記複数の選択可能な偏光度からの選択された偏光度として選択するステップと、
ｂ）前記偏光度を繰り返し低下させ、前記選択回転方向をランダムに、又は所定の一連の方向に従って選ぶステップと、並びに
ｃ）前記被験者が前記回転パターンを観察することができたとき、及び選択回転方向を正しく報告することができたときの最小偏光度を決定するステップと
からなる処理によって繰り返し検査する、請求項２４に記載の被験者の視覚を検査する方法。
【請求項２６】
請求項１〜２２のいずれか一項に記載の前記装置を使用するときに、請求項２３〜２５のいずれか一項に記載の被験者の視覚を検査する方法。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
ウェアラブルデバイスの外側で発生するローカル信号をワイヤレスに受信するためのワイヤレス受信器回路であって、前記ローカル信号は、複数のアクティビティのタイプの中から選択可能なアクティビティのタイプを示す情報を含む、ワイヤレス受信器回路と、
１つ又は複数の生理及び行動パラメータを感知するための、複数のセンサと、
受信した前記ローカル信号内の前記情報に基づいて前記アクティビティのタイプを自動的に決定するため、及び、前記決定に基づいて、前記１つ又は複数の生理及び行動パラメータに対応するデータを、前記複数のセンサのうちの１つ又は複数から受信するための、処理回路と、
を備える、ウェアラブルデバイス。
【請求項２】
決定された前記アクティビティのタイプは、前記ウェアラブルデバイスを着用している人物に関し、前記１つ又は複数の生理及び行動パラメータは、前記人物の身体機能又は前記人物の身体のすべて若しくは一部の動きに関連付けられる、請求項１に記載のウェアラブルデバイス。
【請求項３】
前記アクティビティのタイプは、スポーツアクティビティのタイプ、エクササイズアクティビティのタイプ、レクリエーションアクティビティのタイプ、家事アクティビティのタイプ、ソーシャルアクティビティのタイプ、又は動きのないアクティビティのタイプを含む、請求項１に記載のウェアラブルデバイス。
【請求項４】
前記ワイヤレス受信器回路は、無線周波数識別技術、近距離無線通信技術、又はＢｌｕｅｔｏｏｔｈ（登録商標）技術に従って、識別子情報で符号化された前記ローカル信号をワイヤレスに受信するためのものである、請求項１に記載のウェアラブルデバイス。
【請求項５】
前記決定に基づいて、前記１つ又は複数の生理及び行動パラメータに対応するデータを、前記複数のセンサのうちの１つ又は複数から受信することは更に、前記アクティビティのタイプの決定に基づいて、前記１つ又は複数の生理及び行動パラメータを測定するための前記複数のセンサのサブセットを活動化することを含む、請求項１に記載のウェアラブルデバイス。
【請求項６】
前記情報を、装置、又は前記装置に関連付けられた前記アクティビティのタイプに関連付ける、データ構造を記憶するためのメモリを更に備える、請求項１に記載のウェアラブルデバイス。
【請求項７】
前記処理回路は更に、前記アクティビティのタイプの決定に基づいて、前記メモリ内に記憶された複数の選択可能なアルゴリズムのうちの１つを実行するためのものである、請求項６に記載のウェアラブルデバイス。
【請求項８】
前記処理回路は更に、前記決定されたアクティビティのタイプに関連付けられた異なる動きを区別及び測定するためのものである、請求項７に記載のウェアラブルデバイス。
【請求項９】
前記ワイヤレス受信器回路は更に、人物と直接又は間接的に接触している装置に取り付けられたタグから、前記ローカル信号を受信するためのものである、請求項１に記載のウェアラブルデバイス。
【請求項１０】
前記タグは、受動ＲＦＩＤタグである、請求項９に記載のウェアラブルデバイス。
【請求項１１】
前記アクティビティのタイプは、前記タグに基づいて決定される、請求項９に記載のウェアラブルデバイス。
【請求項１２】
前記処理回路は更に、前記アクティビティのタイプを決定することに応答して、フィードバックを提供させるためのものである、請求項１に記載のウェアラブルデバイス。
【請求項１３】
前記処理回路は更に、前記生理及び行動パラメータが前記アクティビティのタイプに固有の実際のアクティビティを示す所定の閾値レベルに一致するか又はこれを超えることに基づいて、前記１つ又は複数の生理及び行動パラメータを記録するためのものである、請求項１に記載のウェアラブルデバイス。
【請求項１４】
ウェアラブルデバイスの動作の方法であって、前記方法は、
前記ウェアラブルデバイスの外側で発生するローカル信号をワイヤレスに受信するステップであって、前記ローカル信号は、アクティビティのタイプを示す情報を含む、ワイヤレスに受信するステップと、
受信した前記ローカル信号内の前記情報に基づいて前記アクティビティのタイプを自動的に決定するステップと、
前記決定に基づいて、１つ又は複数の生理及び行動パラメータを感知するステップと、
前記決定に基づいて、前記１つ又は複数の生理及び行動パラメータに対応するデータを受信するステップと、
を有する、方法。
【請求項１５】
ウェアラブルデバイス上で動作するときに、前記ウェアラブルデバイスの外側で発生するローカル信号であって、アクティビティのタイプを示す情報を含むローカル信号を受信し、請求項１４に記載の方法の前記決定するステップ、前記感知するステップ、及び前記受信するステップを実行するコンピュータプログラムコード手段を含む、コンピュータプログラム。
【手続補正書】
【提出日】令和1年11月21日(2019.11.21)
【手続補正１】
【補正対象書類名】明細書
【補正対象項目名】０１９３
【補正方法】変更
【補正の内容】
【０１９３】
二糖は、水酸化ナトリウムグラジエントを用いたＰＡ２０カラムを使用するＨＰＡＥＣ−ＰＡＤ−ＭＳ、又は２本の直列のＨＰＸ−８７Ｃカラム上で分離するＬＣ−ＭＳによっても同定した。スクロース、マルツロース、ロイクロース、トレハルロース、イソマルツロース、及びイソマルトースなどの表６のフルクトースシロップ中の二糖は、二糖標準品の保持時間及びマススペクトル（ＨＰＡＥＣ−ＰＡＤ−ＭＳについての生成物イオンスペクトル及びＧＣ−ＭＳについての電子イオン化［ＥＩ］スペクトル）を、ＰＡ２０カラムで分離した材料中で検出された二糖のピークのもの（図２）と照合することにより同定した。いくつかの二糖のピークは、グルコースからなるか、又はグルコースとフルクトースとからなる市販の二糖標準品のいずれとも一致しなかった。これらの一致しなかったピークは、例えば、はちみつなどの中に存在するフルクタン二糖であると推定された。これらのＤＰ２フルクタンの正確な構造及び結合は、明確ではないものの、フルクトースシロップ中に存在する二糖フルクタンは、アルファルファはちみつ（データ未記載）及びＣａｒｇｉｌｌ（Ｗａｙｚａｔａ，ＭＮ）から得られるＩＳＯＣＬＥＡＲ  ４２  ＨＦＣＳの市販の試料（データ未記載）中で観察されるものと同一であった。  フルクトースシロップ中に存在するフルクタンの同定は、アルファルファはちみつ又はＩＳＯＣＬＥＡＲ  ４２
ＨＦＣＳ試料のものに対する生成物イオンスペクトル及びフルクタン二糖の保持時間を比較することによって行った。
以上のように、本明細書のグルカン合成反応で製造したフルクトースシロップの二糖成分がキャラクタリゼーションされた。
【手続補正２】
【補正対象書類名】明細書
【補正対象項目名】０１９４
【補正方法】変更
【補正の内容】
【０１９４】
以上、本発明を要約すると下記のとおりである。
１．フルクトースを含む水性組成物を製造する方法であって、
（ａ）水と、スクロースと、少なくとも３０％のα−１，３−結合を有するポリα−１，３−グルカンを合成するグルコシルトランスフェラーゼ酵素とを接触させて、可溶性フラクション及び不溶性フラクションを生成することであって、
前記不溶性フラクションは、前記ポリα−１，３−グルカンを含み、及び
前記可溶性フラクションは、乾燥重量基準で少なくとも約５５％のフルクトースを含む、生成すること；及び
（ｂ）前記不溶性フラクションから前記可溶性フラクションを分離し、それによりフルクトースを含む水性組成物をもたらすこと
を含む、方法。
２．前記グルコシルトランスフェラーゼ酵素は、少なくとも９５％のα−１，３−結合を有するポリα−１，３−グルカンを合成する、上記１に記載の方法。
３．前記可溶性フラクションは、２〜約１５の重合度（ＤＰ）を有する可溶性オリゴ糖を更に含む、上記１に記載の方法。
４．前記可溶性フラクションは、乾燥重量基準で約３０％未満の前記可溶性オリゴ糖を含む、上記３に記載の方法。
５．前記可溶性フラクションをα−グルコシダーゼ酵素と接触させて、前記オリゴ糖の少なくとも１つのグリコシド結合を加水分解し、それにより前記可溶性フラクション中の単糖含有率を増加させることを更に含む、上記３に記載の方法。
６．前記可溶性フラクションは、乾燥重量基準で少なくとも約７５％のフルクトースを含む、上記１に記載の方法。
７．前記可溶性フラクション中の他の糖の含有量に対する単糖の含有量を増加させる処理工程を更に含み、前記処理工程は、任意選択的にナノ濾過又は酵素的加水分解である、上記１に記載の方法。
８．前記可溶性フラクション中の他の糖の含有量に対するフルクトースの含有量を増加させるための処理工程としてクロマトグラフィーを含まない、上記１に記載の方法。
９．上記１に記載の方法によって製造される水性組成物。
１０．前記水性組成物は、摂取可能な製品中に含まれているか又は摂取可能な製品であり、且つ任意選択的に、前記摂取可能な製品の甘味料として使用される、上記９に記載の水性組成物。
１１．（ｉ）乾燥重量基準で少なくとも約５５％のフルクトース、
（ｉｉ）乾燥重量基準で約３％〜約２４％のグルコース、及び
（ｉｉｉ）２〜約１５の重合度（ＤＰ）を有する可溶性オリゴ糖
を含む水性組成物であって、前記オリゴ糖は、グルコース及び／又はフルクトースを含む、水性組成物。
１２．前記可溶性オリゴ糖は、スクロース、ロイクロース、トレハルロース、イソマルツロース、マルツロース、イソマルトース、及びニゲロースからなる群から選択される、上記１１に記載の水性組成物。
１３．前記オリゴ糖は、（ｉ）少なくとも約９０重量％のグルコース、並びに（ｉｉ）約６０〜９９％のα−１，３グリコシド結合及び約１〜４０％のα−１，６グリコシド結合を含む、上記１１に記載の水性組成物。
１４．乾燥重量基準で少なくとも約７５％のフルクトースを含む、上記１１に記載の水性組成物。
１５．乾燥重量基準で約３０％未満の前記可溶性オリゴ糖を含む、上記１１に記載の水性組成物。
１６．摂取可能な製品中に含まれているか又は摂取可能な製品であり、且つ任意選択的に、前記摂取可能な製品の甘味料として使用される、上記１１に記載の水性組成物。
１７．約３０重量％の乾燥固形分で約５０μＳ／ｃｍ未満の導電率と、約５０未満のＩＣＵＭＳＡ値とを有する、上記１６に記載の水性組成物。
１８．前記摂取可能な製品は、食品、飲料、動物飼料、ヒト若しくは動物の栄養製品、医
薬品、又はオーラルケア製品である、上記１１に記載の水性組成物を含む摂取可能な製品。
【手続補正３】
【補正対象書類名】特許請求の範囲
【補正対象項目名】全文
【補正方法】変更
【補正の内容】
【特許請求の範囲】
【請求項１】
フルクトースを含む水性組成物を製造する方法であって、
（ａ）水と、スクロースと、少なくとも３０％のα−１，３−結合を有するポリα−１，３−グルカンを合成するグルコシルトランスフェラーゼ酵素とを接触させて、可溶性フラクション及び不溶性フラクションを生成することであって、
前記不溶性フラクションは、前記ポリα−１，３−グルカンを含み、及び
前記可溶性フラクションは、乾燥重量基準で少なくとも約５５％のフルクトースを含む、生成すること；及び
（ｂ）前記不溶性フラクションから前記可溶性フラクションを分離し、それによりフルクトースを含む水性組成物をもたらすこと
を含む、方法。
【請求項２】
請求項１に記載の方法によって製造される水性組成物。
【請求項３】
（ｉ）乾燥重量基準で少なくとも約５５％のフルクトース、
（ｉｉ）乾燥重量基準で約３％〜約２４％のグルコース、及び
（ｉｉｉ）２〜約１５の重合度（ＤＰ）を有する可溶性オリゴ糖
を含む水性組成物であって、前記オリゴ糖は、グルコース及び／又はフルクトースを含む、水性組成物。
【請求項４】
前記摂取可能な製品は、食品、飲料、動物飼料、ヒト若しくは動物の栄養製品、医薬品、又はオーラルケア製品である、請求項３に記載の水性組成物を含む摂取可能な製品。
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
高性能コンピューティング環境においてスケーラブルなビットマップに基づくＰ＿Ｋｅｙテーブルをサポートするためのシステムであって、
１つ以上のマイクロプロセッサと、
少なくとも１つのサブネットとを備え、前記少なくとも１つのサブネットは、
１つ以上のスイッチを含み、前記１つ以上のスイッチは少なくともリーフスイッチを含み、前記１つ以上のスイッチの各々は、複数のスイッチポートを含み、前記少なくとも１つのサブネットはさらに、
複数のホストチャネルアダプタを含み、各ホストチャネルアダプタは、少なくとも１つのホストチャネルアダプタポートを含み、前記少なくとも１つのサブネットはさらに、
複数のエンドノードを含み、前記複数のエンドノードの各々は、前記複数のホストチャネルアダプタのうちの少なくとも１つのホストチャネルアダプタに関連付けられ、
前記複数のエンドノードの各々は、複数のパーティションのうちの少なくとも１つに関連付けられ、
前記複数のパーティションの各々は、Ｐ＿Ｋｅｙ値に関連付けられ、
前記複数のスイッチポートのうちのあるスイッチポートは、複数のビットマップに基づくＰ＿Ｋｅｙテーブルのうちのあるビットマップに基づくＰ＿Ｋｅｙテーブルに関連付けられ、
複数の前記ホストチャネルアダプタポートのうちのあるホストチャネルアダプタポートは、前記複数のビットマップに基づくＰ＿Ｋｅｙテーブルのうちのあるビットマップに基づくＰ＿Ｋｅｙテーブルに関連付けられる、システム。
【請求項２】
高性能コンピューティング環境においてスケーラブルなビットマップに基づくＰ＿Ｋｅｙテーブルをサポートするための方法であって、
１つ以上のマイクロプロセッサを含む１つ以上のコンピュータに少なくとも１つのサブネットを提供することを備え、前記少なくとも１つのサブネットは、
１つ以上のスイッチを含み、前記１つ以上のスイッチは少なくともリーフスイッチを含み、前記１つ以上のスイッチの各々は、複数のスイッチポートを含み、前記少なくとも１つのサブネットはさらに、
複数のホストチャネルアダプタを含み、各ホストチャネルアダプタは、少なくとも１つのホストチャネルアダプタポートを含み、前記少なくとも１つのサブネットはさらに、
複数のエンドノードを含み、前記複数のエンドノードの各々は、前記複数のホストチャネルアダプタのうちの少なくとも１つのホストチャネルアダプタに関連付けられ、前記方法はさらに、
前記複数のエンドノードの各々を複数のパーティションの少なくとも１つに関連付けることを備え、前記複数のパーティションの各々はＰ＿Ｋｅｙ値に関連付けられ、前記方法はさらに、
前記複数のスイッチポートのうちのあるスイッチポートを、複数のビットマップに基づくＰ＿Ｋｅｙテーブルのうちのあるビットマップに基づくＰ＿Ｋｅｙテーブルに関連付けることと、
複数の前記ホストチャネルアダプタポートのうちのあるホストチャネルアダプタポートを、前記複数のビットマップに基づくＰ＿Ｋｅｙテーブルのうちのあるビットマップに基づくＰ＿Ｋｅｙテーブルに関連付けることとを備える、方法。
【請求項３】
前記１つ以上のマイクロプロセッサを含む前記１つ以上のコンピュータにおいて、
前記１つ以上のスイッチの１つまたは前記複数のホストチャネルアダプタの１つで実行されるサブネットマネージャを提供することと、
前記サブネットマネージャによって、前記１つ以上のスイッチの各々上の複数のポートを通る許可されたトラフィックおよび許可されないトラフィックを判断することとをさらに備える、請求項２に記載の方法。
【請求項４】
前記サブネットマネージャによって、前記１つ以上のスイッチの各々上の複数のポートの各々を通る許可されたトラフィックおよび許可されないトラフィックの前記判断に基づいて、前記ビットマップに基づくＰ＿Ｋｅｙテーブルの各々を構成することをさらに備える、請求項３に記載の方法。
【請求項５】
前記１つ以上のスイッチのうちのあるスイッチが、Ｐ＿Ｋｅｙ値を含む少なくともヘッダを含むパケットを、アドレス指定されたポートで受信すると、許可されたまたは許可されないインジケータを受信するよう、前記１つ以上のスイッチのうちの前記あるスイッチによって、前記パケットの前記ヘッダに含まれる前記Ｐ＿Ｋｅｙ値を、関連付けられるビットマップに基づくＰ＿Ｋｅｙ値で索引付けすることをさらに備える、請求項２〜４のいずれか１項に記載の方法。
【請求項６】
許可された値を受信すると、前記スイッチによって、前記パケットが前記アドレス指定されたポートを通過することを可能にすることをさらに備える、請求項５に記載の方法。
【請求項７】
許可されない値を受信すると、前記スイッチによって、前記パケットを前記アドレス指定されたポートでドロップすることをさらに備える、請求項５に記載の方法。
【請求項８】
前記少なくとも１つのサブネットは、２つ以上のサブネットを含み、前記２つ以上のサブネットの各々は、前記２つ以上のサブネットの各々において少なくとも１つのルータによって相互接続される、請求項２〜７のいずれか１項に記載の方法。
【請求項９】
コンピュータシステムに請求項２〜８のいずれか１項に記載の方法を実行させるためのコンピュータプログラム。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
電極構造体を作製する方法であって、
炭化水素溶媒、スチレンブタジエンゴム（ＳＢＲ）、及びポリスチレン（ＰＳ）の結合剤溶液を形成することと、
前記結合剤溶液に安定化リチウム金属粉末を加えてスラリを形成することと、
前記スラリの薄膜を基板上に堆積することと、
前記薄膜及び基板を乾燥工程に供して前記電極構造体を形成することとを含む、方法。
【請求項２】
前記薄膜を堆積することは、スロットダイ塗工法を含む、請求項１に記載の方法。
【請求項３】
前記安定化リチウム金属粉末を活性化するため、前記基板上の前記薄膜をカレンダー法に供することをさらに含む、請求項１に記載の方法。
【請求項４】
前記基板が、グラファイトアノードである、請求項１に記載の方法。
【請求項５】
前記基板は、酸化ケイ素（ＳｉＯ）アノードである、請求項１に記載の方法。
【請求項６】
前記炭化水素溶媒はキシレンである、請求項１に記載の方法。
【請求項７】
２０°Ｃにおける前記結合剤溶液の粘度は約２．５センチポアズ（ｃｐ）以上である、請求項１に記載の方法。
【請求項８】
前記結合剤溶液中のＳＢＲの濃度は、前記結合剤溶液の総重量に対して重量で約０．１％と約５％の間である、請求項１に記載の方法。
【請求項９】
前記結合剤溶液中のＳＢＲの濃度は、前記結合剤溶液の総重量に対して重量で約０．１％と約１％の間である、請求項８に記載の方法。
【請求項１０】
前記結合剤溶液中のＰＳの濃度は、前記結合剤溶液の総重量に対して重量で約０．１％と約５％の間である、請求項９に記載の方法。
【請求項１１】
前記結合剤溶液中のＰＳの濃度は、前記結合剤溶液の総重量に対して重量で約０．１％と約１％の間である、請求項１０に記載の方法。
【請求項１２】
前記結合剤溶液中の前記ＳＢＲの濃度は約０．５重量％であり、前記結合剤溶液中のＰＳの濃度は、前記結合剤溶液の総重量に対して約０．５重量％である、請求項１に記載の方法。
【請求項１３】
前記安定化リチウム金属粉末の粒子がＬｉ２ＣＯ３で被覆されている、請求項１に記載の方法。
【請求項１４】
前記乾燥工程が、前記電極構造体から前記炭化水素溶媒を蒸発させる、請求項１に記載の方法。
【請求項１５】
請求項１に記載の電極構造体を、正極の電極構造体、前記正極の電極構造体と接触している第１の集電体、前記電極構造体と接触している第２の集電体、及び前記正極の電極構造体と前記電極構造体との間に位置するセパレータと連結することを含む、電池の形成方法。
【手続補正書】
【提出日】令和2年1月10日(2020.1.10)
【手続補正１】
【補正対象書類名】明細書
【補正対象項目名】００１７
【補正方法】変更
【補正の内容】
【００１７】
図１〜図３の実施形態では、金属製コーティング２２は、たとえば、電極座３３または電極座３３のわずかに上方から接続上端３８または接続上端３８付近まで延在する領域における絶縁体内面４２の部分に沿ってのみ施されている。これらの実施形態では、金属製コーティング２２は、電極頭部２８を支持する電極座３３の下方には位置しておらず、絶縁体２６の内面４２は、電極座３３の基部から絶縁体突出端４０まで延在する領域ではコーティングされていない。例示的な実施形態の金属製コーティング２２の長さＬ１が図１および図２に特定されている。金属製コーティング２２の厚みは、さまざまであってもよいが、一般には０．１ｍｍ未満である。
【手続補正２】
【補正対象書類名】明細書
【補正対象項目名】００２２
【補正方法】変更
【補正の内容】
【００２２】
また、図４〜図６の実施形態では、中心電極２４は、最上端６０から点火端部３２まで延在する長さＬ３を提供し、中心電極２４の長さＬ３はさまざまであってもよい。図４および図５に示されるように、中心電極２４の長さＬ３は、絶縁体内面４２の長さＬ２未満である。代替的に、中心電極２４の長さＬ３は、絶縁体内面４２の長さＬ２に等しくてもよい。図６の実施形態では、中心電極２４の長さＬ３は、絶縁体内面４２の長さＬ２よりも長い。また、図４〜図６の実施形態では、真鍮粉末６２が中心電極２４の最上部に沿って位置し、絶縁体の孔の一部を充填している。
【手続補正３】
【補正対象書類名】明細書
【補正対象項目名】００２３
【補正方法】変更
【補正の内容】
【００２３】
例示的な実施形態によれば、絶縁体２６の内面４２に金属製コーティング２２を施すことに加えて、絶縁体２６の外面４４に外側金属コーティング５８が施される。一般に、外側金属コーティング５８は、金属シェル５２と接触しているが、金属シェル５２と接触しない他の領域に施されてもよい。好ましくは、ニッケルベースの層も金属シェル５２の内面４２に施される。次いで、外側金属コーティング５８は、シェル５２の内面４２または金属シェル５２の内面４２上のニッケルベースの層にろう付けされて、絶縁体２６とシェル５２との間に別のハーメチック燃焼シールを提供し、燃焼室からのガスがコロナ点火器２０に侵入することを防止する。外面４４に施された外側金属コーティング５８および内面４２に施された金属製コーティング２２は、同一の組成を有していてもよく、または異なる組成を有していてもよい。好ましくは、コーティング２２，５８は、時間およびコストを削減するために、同一のプロセスステップ中に絶縁体２６の内面４２および外面４４に施される。また、時間およびコストをさらに削減するために、絶縁体２６の内面４２に電極頭部２８をろう付けするステップと、シェル５２に絶縁体２６の外面４４をろう付けするステップとは、同一のプロセスステップ中に行われてもよい。また、点火ステップ数を制限することにより、シールの品質を向上させることが期待される。
【手続補正４】
【補正対象書類名】明細書
【補正対象項目名】００２４
【補正方法】変更
【補正の内容】
【００２４】
本発明の別の局面は、ハーメチック燃焼シールを有するコロナ点火器２０の製造方法を提供する。図１〜図３のコロナ点火器２０を製造するために、当該方法は、絶縁体２６の外面４４に外側金属コーティング５８を施しながら、電極座３３または電極座３３付近から接続上端３８または接続上端３８付近まで延在する領域における絶縁体２６の内面４２に金属製コーティング２２を施すステップを含む。これらの実施形態では、当該方法は、電極頭部２８の下方に金属製コーティング２２を施すステップを含まない。これらの実施形態の方法は、次いで、中心電極２４の頭部２８が電極座３３上に載るように絶縁体２６の孔の中に中心電極２４を配置するステップを含む。
【手続補正５】
【補正対象書類名】明細書
【補正対象項目名】００２５
【補正方法】変更
【補正の内容】
【００２５】
中心電極２４が絶縁体２６に配置されると、当該方法は、絶縁体２６の内面４２に沿ってろう付けするステップをさらに含む。たとえば、当該方法は、絶縁体２６の内面４２に中心電極２４の頭部２８および／または１ショットの銅ベースの粉末６４をろう付けするステップを含み得る。好ましくは、このステップは、金属シェル５２に絶縁体２６の外面４４上の外側金属コーティング５８をろう付けするステップと同時に行われる。このステップ中に、絶縁体２６の内面４２と中心電極２４との間にハーメチック燃焼シールが形成され、絶縁体２６の外面４４と金属シェル５２との間に別のハーメチック燃焼シールが形成されて、燃焼ガスが点火器２０に侵入することを防止する。コロナ点火器を製造するために現在用いられているプロセスは、絶縁体２６の外面に外側金属コーティング５８を施すステップおよびシェル５２に絶縁体２６の外面４４をろう付けするステップを既に含んでいるので、本発明のステップを実行するためにさらなるプロセス時間が必要とされることはない。したがって、プロセス時間またはコストを大幅に増加させることなく、信頼できるハーメチック燃焼シールが得られる。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
電気化学セル層の製造にあたり、
アノード活物質を組み込むアノードカーボンナノチューブが支持されるアノード基材を含むアノードを形成すること；
カソード活物質を組み込むカソードカーボンナノチューブが支持されるカソード基材を含むカソードを形成すること；
前記アノードおよびカソード基材の間に密着するように構成される固形ポリマー絶縁体を形成すること；および
アノード、カソードおよび固形ポリマー絶縁体をぴったりと合った関係に組み立て、相互平面を形成すること
を含み、
前記アノードおよびカソード基材のみの間に取り付けられた固形ポリマー絶縁体が、前記面の一方の側に接し、
前記カーボンナノチューブが、前記固形ポリマー絶縁体の真向いの、前記面の異なる側に接する、方法。
【請求項２】
固形ポリマー絶縁体はフォトリソグラフィーによって形成される、請求項１の方法。
【請求項３】
アノードおよびカソードカーボンナノチューブの間にポリマー電解質ペーストを充填することをさらに含む、請求項１の方法。
【請求項４】
ポリマー電解質ペーストを固形状態に硬化させることをさらに含む、請求項３の方法。
【請求項５】
組立後にアノードおよびカソードカーボンナノチューブの間を充填することをさらに含む、請求項３の方法。
【請求項６】
ポリマー電解質には、官能化ポリ（エチレングリコール）、リチウム塩、イオン液体、およびグラフェンオキシドが含まれる、請求項３の方法。
【請求項７】
前記固形ポリマー絶縁体が、前記アノード及びカソード基材の部分の間の約３０μｍのギャップ内に取り付けられる、請求項１の方法。